(57)【要約】【課題】挙式用に作ったタキシードをジャケットや礼服等の通常の裾丈を有する背広型衣服にリフォームすることができるリフォーム型タキシードを提供する。【解決手段】タキシード１をジャケットや礼服等の通常の裾丈を有する背広型衣服２にリフォームするリフォーム型タキシードにおいて、リフォーム前のタキシード１の前合わせ部１３のボタン３とポケット４の位置を通常の裾丈を有する背広型衣服３の前合わせ部１３のボタン３とポケット４の位置に設け、リフォーム時にタキシード１の裾５を所定長さに切断することによって通常の長さの背広型衣服２としてリフォームするようにした。【選択図】図１
0003144758.tif 000002
【実用新案登録請求の範囲】
【請求項１】
タキシードをジャケットや礼服等の通常の裾丈を有する背広型衣服にリフォームするリフォーム型タキシードにおいて、
リフォーム前のタキシードの前合わせ部のボタンとポケットの位置を通常の裾丈を有する背広型衣服の前合わせ部のボタンとポケットの位置に設け、リフォーム時にタキシードの裾を所定長さに切断することによって通常の長さの背広型衣服としてリフォームするようにしたことを特徴とするリフォーム型タキシード。
【請求項２】
タキシードの裾を所定長さに切断することによって通常の裾丈を有する背広型衣服に仕立てる際、前裾にアールを設けることを特徴とする請求項１記載のリフォーム式タキシード。
【請求項３】
最初のリフォーム時にタキシードの裾を切断する際、表地と裏地の裾の端部に、再度リフォームする際の余幅を取って内側に折畳んで縫い込むようにしたことを特徴とする請求項１又は２記載のリフォーム式タキシード。
【請求項４】
タキシードのベントがセンターベントの場合、タキシードのセンターベントの上端位置を通常の裾丈を有する背広型衣服のセンターベントと同様の位置に設け、タキシードとして使用する際、通常のタキシードのセンターベントの長さに仮縫製するか、又はベルトを取り付けるようにし、リフォーム時に、センターベントの仮縫製を解くか、又はベルトを取り外すようにしたことを特徴とする請求項１、２又は３記載のリフォーム式タキシード。
【請求項５】
タキシードのベントがサイドベントの場合、タキシードのサイドベントの上端位置を通常の裾丈を有する背広型衣服のサイドベントと同様の位置に設け、タキシードとして使用する際、サイドベントを仮縫製で閉じておくと共に、センターベントの上端を通常の裾丈を有する背広型衣服にリフォームする際の裾丈の切断位置よりも下方位置に取るようにしたことを特徴とする請求項１、２又は３記載のリフォーム式タキシード。
【考案の詳細な説明】
【技術分野】
【０００１】
本考案は、挙式用に作ったタキシードをジャケットや礼服等の通常の裾丈を有する背広型衣服にリフォームすることができるリフォーム型タキシードに関する。
【背景技術】
【０００２】
従来、結婚式等において新郎が着る挙式用タキシードは、予めレンタルするほか、体型に合わせてオーダーメイドで作ることもあるが、オーダーメイドの場合、高価であるにもかかわらず、挙式が終わると衣装タンス等に収納し、再び使用する機会もないというのが実情である。
【０００３】
そこで、挙式で使用したタキシードを後日リフォームすることによって、ジャケットや礼服等として使用することができれば、高価な挙式用衣装を無駄にすることもなく、経済的にも有利となる。ところが、従来のタキシード、特に婚礼用のロングタキシードは裾丈が長く、その長い裾丈に合わせてボタンやポケット等が通常のジャケットよりも下方に配置されているため、リフォームの際に、タキシードの裾を通常のジャケット等の裾丈の長さに切断した場合、ボタンやポケット等の位置が通常のジャケットよりも下方に位置するため、デザイン的にもアンバランスとなる。
【０００４】
従来の特許文献を参照すると、特許文献１に「装飾用衿布及びこれを備えた上着」と称する発明が開示されているが、これは背広をタキシードとして兼用できるように、背広等の上着の衿に装飾用衿布を着脱自在に取り付けるようにしたものであり、従来の文献としては、タキシードを通常のジャケットや礼服にリフォームする技術は見出せないのが現状である。
【特許文献１】特開２００２−１３０１７号公報
【考案の開示】
【考案が解決しようとする課題】
【０００５】
本考案は、上記の事情に鑑みてなされたもので、挙式用に作ったタキシードをジャケットや礼服等の通常の裾丈を有する背広型衣服にリフォームすることができるリフォーム型タキシードを提供することを目的とする。
【課題を解決するための手段】
【０００６】
上記の目的を達成するために、本考案の請求項１のリフォーム型タキシードは、タキシードをジャケットや礼服等の通常の裾丈を有する背広型衣服にリフォームするリフォーム型タキシードにおいて、リフォーム前のタキシードの前合わせ部のボタンとポケットの位置を通常の裾丈を有する背広型衣服の前合わせ部のボタンとポケットの位置に設け、リフォーム時にタキシードの裾を所定長さに切断することによって通常の長さの背広型衣服としてリフォームするようにしたことを特徴とする。
【０００７】
また、本考案の請求項２のリフォーム型タキシードは、請求項１において、タキシードの裾を所定長さに切断することによって通常の裾丈を有する背広型衣服に仕立てる際、前裾にアールを設けることを特徴とする。
【０００８】
また、本考案の請求項３のリフォーム型タキシードは、請求項１又は２において、最初のリフォーム時にタキシードの裾を切断する際、表地と裏地の裾の端部に、再度リフォームする際の余幅を取って内側に折畳んで縫い込むようにしたことを特徴とする。
【０００９】
また、本考案の請求項４のリフォーム型タキシードは、請求項１、２又は３において、タキシードのベントがセンターベントの場合、タキシードのセンターベントの上端位置を通常の裾丈を有する背広型衣服のセンターベントと同様の位置に設け、タキシードとして使用する際、通常のタキシードのセンターベントの長さに仮縫製するか、又はベルトを取り付けるようにし、リフォーム時に、センターベントの仮縫製を解くか、又はベルトを取り外すようにしたことを特徴とする。
【００１０】
さらに、本考案の請求項５のリフォーム型タキシードは、請求項１、２又は３において、タキシードのベントがサイドベントの場合、タキシードのサイドベントの上端位置を通常の裾丈を有する背広型衣服のサイドベントと同様の位置に設け、タキシードとして使用する際、サイドベントを仮縫製で閉じておくと共に、センターベントの上端を通常の裾丈を有する背広型衣服にリフォームする際の裾丈の切断位置よりも下方位置に取るようにしたことを特徴とする。
【考案の効果】
【００１１】
本考案のリフォーム型タキシードによれば、リフォーム前のタキシードの前合わせ部のボタンとポケットの位置を通常の裾丈を有する背広型衣服の前合わせ部のボタンとポケットの位置に設けてあるため、リフォーム時に、タキシードの裾を所定長さに切断することによって通常の長さの背広型衣服としてリフォームした際、通常の裾丈を有する背広型衣服のボタンやポケット等の位置がデザイン的にもバランスのよいものとなり、日常生活において着用し得る背広型衣服にリフォームすることが可能となる。
【００１２】
従って、従来においては、挙式のときだけ使用し、その後は着用することなく箪笥等に収容してあった高価なタキシードを、リフォームを前提としたボタンやポケット等の位置に作成しておき、挙式後に、その着衣者の体型にあった裾丈に切断して仕立てることにより、再び着用可能となるため、高価なタキシードを無駄なく生かすことが可能となり、また、挙式に使用した思い出のある衣服を別の形で有効に残すことが可能となる。
【００１３】
また、最初のリフォーム時においてタキシードの裾を切断する際に、表地と裏地の裾の端部に、再度リフォームする際の余幅を取って内側に折畳んで縫い込むことにより、最初にリフォームした時期から年数が経過して、着衣者に体型の変化又は流行の変化があった場合等にも、再度リフォームして着衣者の身体に合わせた背広型衣服とすることが可能となる。
【００１４】
さらに、タキシードのベントの上端位置を通常の裾丈を有する背広型衣服のベントと同様の位置に設け、タキシードとして使用する場合、通常のタキシードのベントの長さに仮縫製するか、又はベルトを取り付けることによって、リフォーム時に、ベントの仮縫製を解くか、又はベルトを取り外すことにより、容易に通常の裾丈を有する背広型衣服のベントとすることができる。
【考案を実施するための最良の形態】
【００１５】
以下、本考案の実施例について図面を参照しながら説明する。
【実施例１】
【００１６】
本実施例のリフォーム型タキシードは、所謂ロングタキシードと云われるタキシードを挙式後にジャケットや礼服等の通常の裾丈を有する背広型衣服にリフォームして着用することを可能としたものである。
【００１７】
なお、ロングタキシードの裾丈は、着衣者の膝付近に到る長さを有するものであるが、本考案においては、図１（ａ）に示すようなタキシード１の裾丈Ｌ１の長さに特定することなく、図１（ｂ）に示す通常の裾丈Ｌ２を有する背広型衣服２にリフォームすることが可能である。
【００１８】
また、いずれの裾丈であっても、タキシード１の裾丈Ｌ１は挙式の際の見栄えを良くするために、ジャケットや礼服等の通常の裾丈を有する背広型衣服２の裾丈Ｌ２よりも長く作製されている。従って、挙式後に、タキシード１を通常の裾丈を有する背広型衣服２として着用するには、裾丈が長すぎるものとなる。本実施例では、図１（ａ）のタキシード１の裾丈Ｌ１を、図１（ｂ）に示す通常の裾丈を有するジャケットや礼服等の背広型衣服２の裾丈Ｌ２となるように切断した際、ボタン３やポケット４等の位置がデザイン的にもバランスのよいものとなるように、図１（ａ）に示すタキシード１の前合わせ部１３のボタン３とポケット４の位置Ｌ３、Ｌ４を、図１（ｂ）に示す通常の裾丈を有する背広型衣服２の前合わせ部１３のボタン３とポケット４の位置Ｌ３、Ｌ４と同様の位置に設けてある。
【００１９】
図２は、タキシード１を分解した片側の平面図であり、裾５を切断する前の状態を示すものであり、前身頃６と細腹７と後ろ身頃８と片袖９との４パーツに分解される。そのうち、タキシードの前身頃６と細腹７と後ろ身頃８の裾丈５Ａを点線で示す通常の背広型衣服２の裾丈５Ｂに切断し、縫製等によって仕立てることにより、通常の裾丈を有するジャケットや礼服等の背広型衣服２としてリフォームすることが可能となる。この際、前身頃６の前裾６ａの形状はアールを設けることによって、リフォーム後のジャケットや礼服等の背広型衣服２として使用可能にするとよい。
【００２０】
本実施例における製法について説明すると、図３に示す表地１４の前身頃６と細腹７と後ろ身頃８において、夫々の実体形状を示す実線部分の外周に、最初のリフォームの段階での縫い代として、二点鎖線で示す裾縫余長１０とフロント部余長１１と断ち合わせ余長１２とが設けられている。この二点鎖線で示す縫い代１０、１１、１２は、本実施例において、一点鎖線で示す通常の縫い代である裾縫余長１０ａとフロント部余長１１ａと断ち合わせ余長１３ａよりも余幅を長くとってある。これは、挙式後において最初にリフォームした時期から年数が経過し、着衣者に体型の変化又は流行の変化があった場合等に、再びリフォームすることによって着衣可能とするようにしたものであり、この二点鎖線の縫い代１０、１１、１２で示すように余幅を取った状態で切断し、その余幅は折り込んで縫い込むようにするとよい。
【００２１】
ちなみに、縫い代の寸法関係を例示すると、通常の裾縫余長１０ａの縫い代Ｂ２＝５．５ｃｍに対して本実施例の裾縫１０の縫い代Ｂ１＝８ｃｍ、通常のフロント部余長１１ａの縫い代Ｂ４＝１ｃｍに対して本実施例のフロント部余長１１の縫い代Ｂ３＝２ｃｍ、通常の断ち合せ余長１２ａの縫い代Ｂ６＝２．５ｃｍに対して本実施例の断ち合せ余長１２の縫い代Ｂ５＝６．５ｃｍとしている。
【００２２】
また、図４（ａ）に示す裏地１５の前身頃６と細腹７と後ろ身頃８において、裾５の表地の余縫Ｃ１＝８ｃｍ、着せかけ分奥まつりＣ２＝１．５ｃｍをとり、また、図４（ｂ）に示すように、表地１４の裾下端部からＤ１＝１．５ｃｍを取って、裏地１５の裏地止まり１９から上方へ折り返すと共に、表地１４の裾下端部からＤ１＝１．５ｃｍを取って奥まつりＤ２＝０．７ｃｍを取り、さらに二つ折りして５ｃｍの折返部２１にミシン仮止２１を施すことにより、再度リフォームする際の余幅を確保するようにしている。
【００２３】
また、タキシード１のベントが背部のセンターに設けられるセンターベント１６の場合、図２に示すように、タキシード１の後ろ身頃８のセンターベント１６の上端位置１６ａを通常の裾丈を有する背広型衣服２のセンターベント１６と同様の位置に設け、図３に示すように、縫い代１６ｃを設ける。そして、タキシード１として使用する際、通常のタキシードのセンターベントの長さ１６ｂの位置に仮縫製するか、又はベルト１７を取り付けることによって挙式等で着用し、リフォーム時に、センターベント１６の仮縫製を解くか、又はベルト１７を取り外すことにより、容易に通常の裾丈を有する背広型衣服２のセンターベント１６ａとすることができる。
【００２４】
また、上記のようにベントを背部のセンターに設けるのではなく、図５に示すように、ベントを両サイドに設けたサイドベント１9とした場合、即ち細腹７と後ろ身頃８との間に設けた場合、タキシード１のサイドベント１９の上端位置を通常の裾丈を有する背広型衣服のサイドベントと同様の位置に設ける。そして、タキシード１として使用する際、サイドベント１９を仮縫製で閉じた状態にして、サイドベント間の長尺の布地が開かないようにする。また、着衣者の要望等で、タキシード１のセンターにセンターベント２１を設ける場合、センターベント２１の上端を通常の裾丈を有する背広型衣服にリフォームする際の裾丈の切断位置、即ち縫い代２０の下方位置に取ることによって、リフォームの際に、センターベント２１は縫い代２０から下方を切断する際に切り落とされるため、背広型衣服へのリフォームになんら影響を与えず、リフォーム作業を行うことが可能となる。
【産業上の利用可能性】
【００２５】
本考案のリフォーム型タキシードは、挙式用に作ったタキシードをジャケットや礼服等の通常の裾丈を有する背広型衣服にリフォームすることができるリフォーム型タキシードとして利用可能である。
【図面の簡単な説明】
【００２６】
【図１】（ａ）は本考案のリフォーム型タキシードのリフォーム前の状態を示す正面図であり、（ｂ）はリフォーム後の通常の裾丈を有する背広型衣服の正面図である。
【図２】本考案のリフォーム型タキシードを分解した片側の４パーツを示す分解図である。
【図３】本考案のリフォーム型タキシードを分解した表地の片側の４パーツを示す分解図である。
【図４】（ａ）は本考案のリフォーム型タキシードを分解した裏地であって、所定の長さに切断した片側の３パーツ（片袖を省略）を切断した上体を示す分解図であり、（ｂ）は表地と裏地の裾部の部分的断面を示す。
【図５】本考案のリフォーム型タキシードを分解した表地の３パーツ（片袖を省略）を示す分解図であり、サイドベントを設ける場合の説明図である。
【符号の説明】
【００２７】
１  タキシード
２  背広型衣服
３  ボタン
４  ポケット
５  裾
５Ａ  タキシードの裾丈
５Ｂ  通常の裾丈の背広型衣服の裾丈
６  前身頃
６ａ  前裾
７  細腹
８  後ろ身頃
９  片袖
１０  余幅を有する裾縫余長の縫い代
１１  余幅を有するフロント部余長の縫い代
１２  余幅を有する断ち合わせ余長の縫い代
１０ａ  通常の裾縫余長の縫い代
１１ａ  通常のフロント部余長の縫い代
１２ａ  通常の断ち合わせ余長の縫い代
１３  前合わせ部
１４  表地
１５  裏地
１６  センターベント
１６ａ  通常の裾丈の背広型衣服のセンターベントの上端位置
１６ｂ  タキシードのセンターベントの上端位置
１６ｃ  センターベントの縫い代
１７  ベルト
１８  見返し部の線
１９  サイドベント
１９ａ  サイドベントの縫い代
Ｂ１  余幅を有する裾縫余長の縫い代
Ｂ２  通常の裾縫余長の縫い代
Ｂ３  余幅を有するフロント部余長の縫い代
Ｂ４  通常のフロント部余長の縫い代
Ｂ５  余幅を有する合わせ部余長の縫い代
Ｂ６  通常の合わせ部余長の縫い代
Ｌ１  タキシードの裾丈
Ｌ２  通常の背広型衣服の裾丈
Ｌ３  ボタンの位置
Ｌ４  ポケットの位置
【図１】
0003144758.tif 000003
【図２】
0003144758.tif 000004
【図３】
0003144758.tif 000005
【図４】
0003144758.tif 000006
【図５】
0003144758.tif 000007